(57)【要約】【課題】本発明の第１目的は、高画質を具現することができる発光ダイオードを利用する液晶表示装置のバックライトを提供する。  本発明の第２目的は、高画質を具現する液晶表示装置のバックライトユニットの駆動方法を提供する。【解決手段】本発明は、相互に向い合う第１、２基板を含むディスプレーパネルと；第１、２基板間に位置する液晶層と；ディスプレーパネルに隣接した光学フィルムと、光学フィルムに隣接したランプと、ランプに隣接して三色発光ダイオードで構成された少なくともワンセットを含むバックライトユニットを含むディスプレー装置を提供することを特徴とする。【選択図】図２
2006012819.tif 000002
【特許請求の範囲】
【請求項１】
相互に向い合う第１、２基板を含むディスプレーパネルと；
前記第１、２基板間に位置する液晶層と；
前記ディスプレーパネルに隣接した光学フィルムと、前記光学フィルムに隣接したランプと、前記ランプに隣接して三色発光ダイオードで構成された少なくともワンセットを含むバックライトユニットを含むディスプレー装置。
【請求項２】
前記三色発光ダイオードで構成された前記少なくともワンセットに隣接した反射板をさらに含むことを特徴とする請求項１に記載のディスプレー装置。
【請求項３】
前記少なくとも一つの光学フィルムは保護フィルム、第１、２プリズムシート、そして拡散シートを含むことを特徴とする請求項１に記載のディスプレー装置。
【請求項４】
前記保護フィルムは前記ディスプレーパネルに隣接して、前記第１、２プリズムシートは前記保護フィルムに隣接して、前記拡散シートは前記第１、２プリズムシートに隣接したことを特徴とする請求項３に記載のディスプレー装置。
【請求項５】
前記三色発光ダイオードで構成された前記少なくともワンセットそれぞれは赤、緑、青カラーをそれぞれ発光して、前記三色発光ダイオードで構成された少なくともワンセットは前記ディスプレーパネルの全体表面上に実質的に均一に位置することを特徴とする請求項１に記載のディスプレー装置。
【請求項６】
前記ランプは冷陰極蛍光ランプであることを特徴とする請求項１に記載のディスプレー装置。
【請求項７】
前記バックライトユニットは直下型であることを特徴とする請求項１に記載のディスプレー装置。
【請求項８】
前記三色発光ダイオードで構成された少なくともワンセットは透明絶縁基板上に形成されることを特徴とする請求項１に記載のディスプレー装置。
【請求項９】
前記ディスプレーパネルは液晶パネルを含むことを特徴とする請求項１に記載のディスプレー装置。
【請求項１０】
ディスプレーパネルに隣接した保護フィルムと；
前記保護フィルムに隣接した第１、２プリズムシートと；
前記第１、２プリズムシートに隣接した拡散シートと；
前記光学フィルムに隣接したランプと；
前記ランプに隣接して、三色発光ダイオードで構成された少なくともワンセットを含むディスプレー装置用バックライトユニット。
【請求項１１】
前記三色発光ダイオードで構成された前記少なくともワンセットに隣接した反射板をさらに含むことを特徴とする請求項１０に記載のバックライトユニット。
【請求項１２】
前記三色発光ダイオードで構成された前記少なくともワンセットはそれぞれ赤、緑、青カラーをそれぞれ発光して、前記三色発光ダイオードで構成された前記少なくともワンセットは前記ディスプレーパネルの全体表面上に実質的に均一に位置することを特徴とする請求項１０に記載のディスプレー装置用バックライトユニット。
【請求項１３】
前記ランプは冷陰極蛍光ランプであることを特徴とする請求項１０に記載のディスプレー装置用バックライトユニット。
【請求項１４】
前記バックライトユニットは直下型であることを特徴とする請求項１０に記載のディスプレー装置用バックライトユニット。
【請求項１５】
前記三色発光ダイオードで構成された前記少なくともワンセットは透明な絶縁基板上に形成されることを特徴とする請求項１０に記載のディスプレー装置用バックライトユニット。
【請求項１６】
メモリーとプロセシングユニットを含むマイクロ・プロセッサから第１イメージデータを出力（ｏｕｔｐｕｔ）する段階と；
相互に重なった２個の像を区別するために第２イメージデータで第１イメージデータを加工する段階と；
前記第２イメージデータを第３イメージデータに転換する段階と；
前記第３イメージデータによって赤、緑、青カラーを発光する段階を含むディスプレー装置用発光ダイオードを含むバックライトユニットの駆動方法。
【請求項１７】
前記第１イメージデータを加工する前に色情報と前記第１イメージデータの位置を分析する段階をさらに含むことを特徴とするディスプレー装置用発光ダイオードを含むことを特徴とする請求項１６に記載のバックライトユニットの駆動方法。
【請求項１８】
前記第３イメージデータはアナログタイプであることを特徴とするディスプレー装置用発光ダイオードを含むことを特徴とする請求項１６に記載のバックライトユニットの駆動方法。
【請求項１９】
前記バックライトユニットはランプを含むことを特徴とするディスプレー装置用発光ダイオードを含むことを特徴とする請求項１６に記載のバックライトユニットの駆動方法。
【請求項２０】
前記ランプは冷陰極蛍光ランプを含むことを特徴とするディスプレー装置用発光ダイオードを含むことを特徴とする請求項１９に記載のバックライトユニットの駆動方法。
【請求項２１】
前記ディスプレー装置は液晶表示装置を含むことを特徴とするディスプレー装置用発光ダイオードを含むことを特徴とする請求項１６に記載のバックライトユニットの駆動方法。
【発明の詳細な説明】
【技術分野】
【０００１】
本発明はディスプレー装置のバックライトユニットに関して、さらに詳細には、発光ダイオードを利用する液晶表示装置のバックライトユニット及びその製造方法に関する。
【背景技術】
【０００２】
最近情報化社会に時代が発展するによって薄形化、軽量化、低消費電力化などの優秀な特性を有する平板表示装置の必要性が台頭されたが、このうち液晶表示装置が解像度、カラー表示、画質等で優秀であってノートブックやデスクトップモニターに活発に適用されている。
【０００３】
現在には薄膜トランジスタと前記薄膜トランジスタに連結された画素電極がマトリックス方式で配列されたアクティブマトリックス液晶表示装置が解像度及び動映像具現能力が優秀であって最も注目されている。
【０００４】
前記液晶表示装置は共通電極が形成されたカラーフィルター基板（上部基板）と画素電極が形成されたアレイ基板（下部基板）と、この上部及び下部基板間に充填された液晶で構成されるが、このような液晶表示装置では共通電極と画素電極との間にかかる垂直電界により液晶を駆動する方式であって、透過率と開口率などの特性が優秀である。
【０００５】
前記垂直電界により液晶の配向方向が変わるようになってこれにより光源から照射された光の量を調節して画像を表示するようになる。
【０００６】
このように液晶は自ら発光する能力がないため別途の光源をさらに構成しなければならなくて、このような光源の集光度及び光源によるコントラスト改善問題が重要な問題になっている。
【０００７】
前記光源は液晶パネルの後面に構成されるため背光装置（以下"バックライト"と称する）といって、このようなバックライトはその表示方式によって大別して直下方式とエッジ方式に分けられる。
【０００８】
直下方式はバックライトに構成されるランプを液晶表示装置底面に置いて基板全面を直接照光する方式であって、エッジ方式は前記ランプを基板の一側面または両側面に置いて導光板及び反射板などにより光線を反射して拡散するようにする方式である。
【０００９】
以下、図面を参照して直下方式で構成された背光装置を含む液晶表示装置の構成を概略的に説明する。
【００１０】
図１は従来の直下型バックライトユニットを有する液晶表示装置の拡大斜視図である。
【００１１】
図示したように液晶表示装置１０は、液晶層（図示せず）を間に置いて第１及び第２基板が合着されて、一辺及びこれに垂直な他の辺にＰＣＢ回路基板３４ａ、３４ｂが構成された液晶パネル３０を具備して、前記液晶パネル３０の下部には背光装置２０が具備される。
【００１２】
前記背光装置２０は図示したように、相互に平行するように離隔して構成された複数の蛍光ランプ２４を中心にして、前記蛍光ランプ２４の下部には反射シート２２が構成されて前記蛍光ランプ２４の上部には複数の光学フィルム２６が具備される。
【００１３】
前述したように構成される液晶表示装置１０を大型ＬＣＤ（液晶表示）テレビで用いる場合、一番重要なことは是認性に関する。
【００１４】
すなわち、画面上で像がどれくらい鮮やかに見えるかということが重要であってこれに関連して特に、コントラスト比（ｃｏｎｔｒａｓｔ  ｒａｔｉｏ）は鮮やかな像を計る尺度となる。
【００１５】
この時、一般的にはブラック状態（ｂｌａｃｋ  ｓｔａｔｅ）で輝度（ｂｒｉｇｈｔｎｅｓｓ）がホワイト状態（ｗｈｉｔｅ  ｓｔａｔｅ）で輝度より少ない値を有するためコントラスト（ｃｏｎｔｒａｓｔ）はブラック輝度によって影響を多く受ける。
【００１６】
すなわち、ブラック輝度が低いほどコントラスト比（ｃｏｎｔｒａｓｔ  ｒａｔｉｏ）が高くなる。
【００１７】
したがって、これを改善するために広く知られたＡＩ（ａｄａｐｔｉｖｅ  ｂｒｉｇｈｔｎｅｓｓ  ｉｎｔｅｎｓｉｔｙ）方式を適用している。
【００１８】
前記ＡＩ方式はバックライトモジュレーション（ｂａｃｋ  ｌｉｇｈｔ  ｍｏｄｕｌａｔｉｏｎ）とデータストレッチ（ｄａｔａ  ｓｔｒｅｔｃｈ）を通じてブラック輝度低減及びピーク輝度（ｐｅａｋ  ｂｒｉｇｈｔｎｅｓｓ）を具現することである。
【００１９】
ところが問題はＡＩ方式を適用するようになれば類似な像が相互に重なった時その境界が曖昧になるという短所がある。
【００２０】
すなわち、ＡＩ方式を適用しない場合、二像の色が同様であってもその境界が明らかだがＡＩ方式を適用する場合、二像の境界が曖昧で色感が落ちて像を区分しにくい問題がある。
【発明の開示】
【発明が解決しようとする課題】
【００２１】
前述した問題点を解決するために、本発明の第１目的では高画質を具現することができる発光ダイオードを利用する液晶表示装置のバックライトを提供することにある。
【００２２】
本発明の第２目的は高画質を具現する液晶表示装置のバックライトユニットの駆動方法を提供することにある。
【課題を解決するための手段】
【００２３】
前記した目的を達成するために、本発明の第１特徴では、相互に向い合う第１、２基板を含むディスプレーパネルと；前記第１、２基板間に位置する液晶層と；前記ディスプレーパネルに隣接した光学フィルムと、前記光学フィルムに隣接したランプと、前記ランプに隣接して三色発光ダイオードで構成された少なくともワンセットを含むバックライトユニットを含むディスプレー装置を提供する。
【００２４】
前記三色発光ダイオードで構成された前記少なくともワンセットに隣接した反射板をさらに含むことを特徴として、前記少なくとも一つの光学フィルムは保護フィルム、第１、２プリズムシート、そして拡散シートを含むことを特徴とする。
【００２５】
前記保護フィルムは前記ディスプレーパネルに隣接して、前記第１、２プリズムシートは前記保護フィルムに隣接して、前記拡散シートは前記第１、２プリズムシートに隣接したことを特徴として、前記三色発光ダイオードで構成された少なくともワンセットそれぞれは赤、緑、青カラーをそれぞれ発光して、前記三色発光ダイオードで構成された少なくともワンセットは前記ディスプレーパネルの全体表面上に実質的に均一に位置することを特徴とする。
【００２６】
前記ランプは冷陰極蛍光ランプであることを特徴として、前記バックライトユニットは直下型であることを特徴として、前記三色発光ダイオードで構成された少なくともワンセットは透明絶縁基板上に形成されることを特徴とする。
【００２７】
前記ディスプレーパネルは液晶パネルを含むことを特徴とする。
【００２８】
本発明の第２特徴では、ディスプレーパネルに隣接した保護フィルムと；前記保護フィルムに隣接した第１、２プリズムシートと；前記第１、２プリズムシートに隣接した拡散シートと；前記光学フィルムに隣接したランプと；前記ランプに隣接して、三色発光ダイオードで構成された少なくともワンセットを含むディスプレー装置用バックライトユニットを提供する。
【００２９】
前記三色発光ダイオードで構成された前記少なくともワンセットに隣接した反射板をさらに含むことを特徴として、前記三色発光ダイオードで構成された前記少なくともワンセットはそれぞれ赤、緑、青カラーをそれぞれ発光して、前記三色発光ダイオードで構成された前記少なくともワンセットは前記ディスプレーパネルの全体表面上に実質的に均一に位置することを特徴とする。
【００３０】
前記ランプは冷陰極蛍光ランプであることを特徴として、前記バックライトユニットは直下型であることを特徴として、前記三色発光ダイオードで構成された前記少なくともワンセットは透明な絶縁基板上に形成されることを特徴とする。
【００３１】
本発明の第３特徴では、メモリーとプロセシングユニットを含むマイクロ・プロセッサから第１イメージデータを出力する段階と；相互に重なった２個の像を区別するために第２イメージデータで第１イメージデータを加工する段階と；前記第２イメージデータを第３イメージデータに転換する段階と；前記第３イメージデータによって赤、緑、青カラーを発光する段階を含むディスプレー装置用発光ダイオードを含むバックライトユニットの駆動方法を提供する。
【００３２】
前記第１イメージデータを加工する前に色情報と前記第１イメージデータの位置を分析する段階をさらに含んで、前記第３イメージデータはアナログタイプであることを特徴とする。
【００３３】
前記バックライトユニットはランプを含むことを特徴として、前記ランプは冷陰極蛍光ランプを含むことを特徴として、前記ディスプレー装置は液晶表示装置を含むことを特徴とする。
【発明の効果】
【００３４】
本発明によるＡＩ方式ＬＣＤテレビのようなＬＣＤ装置は高画質を有するように製作されることができる。
【００３５】
さらに詳細には、本発明による液晶表示装置はバックライトユニットの三色発光ダイオードを含んで、同様の２個の像が重なった場合、二像の弁別力を向上させることができる。結果的に、高画質を有する液晶表示装置が本発明を介して得られることができる。本発明のバックライトユニットは液晶表示装置を含む非発光ディスプレー装置に適用されることができる。
【発明を実施するための最良の形態】
【００３６】
以下、添付した図面を参照して本発明の実施形態による液晶表示装置に対して詳細に説明する。
−−実施形態−−
【００３７】
図２は本発明の一実施形態による発光ダイオードを利用する直下型バックライトを有する液晶表示装置の拡大斜視図である。図示したように、本発明による液晶表示装置１００は、一辺と他辺にＰＣＢ回路基板１３４が構成された液晶パネル１３０を具備して、前記液晶パネル１３０の下部には背光装置１２０を具備する。
【００３８】
前記液晶パネルはアレイ配線（ゲート及びデータ配線）とスイッチング素子及び画素電極を具備した第１基板と、カラーフィルターを具備した第２基板を液晶層を間に置いて合着して構成したものである。
【００３９】
前記背光装置１２０は前記液晶パネル１３０の全面に対応して所定間隔離隔された複数個の蛍光ランプ１２６（冷陰極管）を具備して、前記蛍光ランプ１２６の上部に保護フィルムとプリズムシートと拡散フィルムのような複数の光学フィルム１２８を具備する。
【００４０】
前記蛍光ランプ１２６の下部には赤色と緑色と青色を具現する三色（Ｒ、Ｇ、Ｂ）のＬＥＤ  １２４が一つの単位で構成されたＬＥＤグループを液晶パネルの全面に対応して均等に分布するように構成する。
【００４１】
この時、前記ＬＥＤ  １２４は図示したように透明な絶縁基板上に構成すればよい。
【００４２】
前記三色のＬＥＤ  １２４下部には光の効率を高めるために反射板１２２を構成する。
【００４３】
前述した構成で、前記三色ＬＥＤ  １２４は赤色と緑色と青色をそれぞれ具現することができ、液晶パネルのカラーフィルターと同様の機能をするようになる。
【００４４】
以下、前記三色ＬＥＤの動作を以下図面を参照しながら説明する。
【００４５】
図３は本発明の一実施形態による液晶表示装置用発光ダイオードを利用するバックライトユニットの駆動方法を示すフローチャートである。本発明による三色ＬＥＤの動作は下記のようである。
【００４６】
第１段階（ＳＴ１）はメモリーとプロセシングユニットを含むマイクロ・プロセッサから第１イメージデータを出力する段階である。
【００４７】
色情報と前記第１イメージデータの位置を分析する段階が前記第１イメージデータを出力する段階後にさらに実行されることができる。
【００４８】
第２段階（ＳＴ２）は、相互に重なった２個の像を区別するために第２イメージデータで第１イメージデータを加工する段階である。
【００４９】
第３段階（ＳＴ３）は、第２イメージデータをアナログタイプの第３イメージデータに転換する段階である。
【００５０】
第４段階（ＳＴ４）で、赤、緑、青カラーは前記アナログタイプの第３イメージデータによって発光する。
【００５１】
本発明の一実施形態によるバックライトは冷陰極蛍光ランプのような蛍光ランプを含む。前記発光ダイオードが前述した段階を経て発光するならば、前記液晶表示装置は前述した段階を介して補償されることによって希望する色感を得ることができる。言い換えると、お互いに類似な色感を有する二像の弁別力が向上することによって、いつの時でも任意の像を向上させることができる。
【００５２】
図４は本発明の一実施形態による発光ダイオードを利用する液晶表示装置のバックライトユニットの第１像と、前記第１像と類似な色感を有する第２像の重なった状態を示す図面である。図示したように、バックライトユニットの発光ダイオードが図３で説明した段階により駆動されるならば、第１像と前記第１ 像と類似な色感を有して前記第１像と重なる第２像間の界面が区別されることができる。なぜなら、第１、２像の各色像輝度が向上するためである。
【００５３】
しかし、本発明は前記実施形態で限定されなくて本発明の趣旨を外れない限度内で多様に実施することができる。
【図面の簡単な説明】
【００５４】
【図１】従来の直下型バックライトユニットを有する液晶表示装置の拡大斜視図。
【図２】本発明の一実施形態による発光ダイオードを利用する直下型バックライトを有する液晶表示装置の拡大斜視図。
【図３】本発明の一実施形態による液晶表示装置用発光ダイオードを利用するバックライトユニットの駆動方法を示すフローチャート。
【図４】本発明の一実施形態による発光ダイオードを利用する液晶表示装置のバックライトユニットの第１像と、前記第１像と類似な色感を有する第２像の重なった状態を示す図面。
【符号の説明】
【００５５】
１００：基板
１２０：背光装置
１２２：反射板
１２４：三色発光ダイオード
１２６：蛍光ランプ
１２８：光学フィルム
１３０：液晶パネル
１３４ａ、１３４ｂ：ＰＣＢ基板
【図１】
2006012819.tif 000003
【図２】
2006012819.tif 000004
【図３】
2006012819.tif 000005
【図４】
2006012819.tif 000006